(57)【要約】  内視鏡リプロセッサは、濾過具を着脱可能な保持部と、前記保持部に前記濾過具が装着された状態において前記濾過具に連通する流体導入管路および流体導出管路と、を含むリプロセッサ本体部と、前記保持部に前記濾過具が装着されており、かつ前記濾過具の重量が所定値未満である場合に、前記濾過具を前記リプロセッサ本体部内の第１位置に位置させ、前記保持部に前記濾過具が装着されており、かつ前記濾過具の重量が前記所定値以上である場合に、前記濾過具を前記第１位置とは異なる前記リプロセッサ本体部内の第２位置に位置させる移動部と、前記濾過具が前記第２位置に位置している場合に、前記濾過具の前記保持部からの取り外しを阻害する阻害部と、を含む。
2020234933.tif 000002
【特許請求の範囲】
【請求項１】
濾過具を着脱可能な保持部と、前記保持部に前記濾過具が装着された状態において前記濾過具に連通する流体導入管路および流体導出管路と、を含むリプロセッサ本体部と、
前記保持部に前記濾過具が装着されており、かつ前記濾過具の重量が所定値未満である場合に、前記濾過具を前記リプロセッサ本体部内の第１位置に位置させ、前記保持部に前記濾過具が装着されており、かつ前記濾過具の重量が前記所定値以上である場合に、前記濾過具を前記第１位置とは異なる前記リプロセッサ本体部内の第２位置に位置させる移動部と、
前記濾過具が前記第２位置に位置している場合に、前記濾過具の前記保持部からの取り外しを阻害する阻害部と、
を含むことを特徴とする内視鏡リプロセッサ。
【請求項２】
前記移動部は、前記保持部に前記濾過具が装着された状態において、前記保持部および前記濾過具を前記リプロセッサ本体部に対して回動軸周りに揺動させる揺動部を含む
ことを特徴とする請求項１に記載の内視鏡リプロセッサ。
【請求項３】
前記阻害部は、前記濾過具が前記第２位置に位置している場合において、前記保持部から前記濾過具を取り外す際に前記濾過具が通る取り外しルート上に位置する
ことを特徴とする請求項１に記載の内視鏡リプロセッサ。
【請求項４】
濾過具を含み、
前記濾過具は、前記保持部に装着され、かつ前記第２位置にある場合に、前記阻害部と嵌合する嵌合部を有することを特徴とする請求項１に記載の内視鏡リプロセッサ。
【発明の詳細な説明】
【技術分野】
【０００１】
本発明は、濾過具を着脱可能な保持部を備える内視鏡リプロセッサに関する。
【背景技術】
【０００２】
医療用の内視鏡は、使用後に再生処理が施される。内視鏡の再生処理を自動的に行う装置として内視鏡リプロセッサが知られている。内視鏡リプロセッサは、再生処理に用いる液体を濾過するフィルタを含む濾過具を備える。フィルタは、交換の際には濾過具ごと内視鏡リプロセッサから取り外される。【０００３】
フィルタを内視鏡リプロセッサから取り外す場合に、濾過具または濾過具に接続される管路からの液垂れに注意するのが手間であった。【０００４】
例えば、日本国特許第４９０５４４３号公報には、フィルタが配置されている空間内の液体を検知する検知手段を備え、液体の存在を検知した場合にフィルタの取り外しを規制する洗濯機が開示されている。【０００５】
日本国特許第４９０５４４３号公報に開示の技術のように、検知手段を設けると装置の価格が上昇してしまう。【０００６】
本発明は、上述した点を解決するものであって、濾過具の取り外し時における液体の漏れ出しを防止する簡便な機構を実現することを目的とする。
【発明の開示】
【課題を解決するための手段】
【０００７】
本発明の一態様による内視鏡リプロセッサは、濾過具を着脱可能な保持部と、前記保持部に前記濾過具が装着された状態において前記濾過具に連通する流体導入管路および流体導出管路と、を含むリプロセッサ本体部と、前記保持部に前記濾過具が装着されており、かつ前記濾過具の重量が所定値未満である場合に、前記濾過具を前記リプロセッサ本体部内の第１位置に位置させ、前記保持部に前記濾過具が装着されており、かつ前記濾過具の重量が前記所定値以上である場合に、前記濾過具を前記第１位置とは異なる前記リプロセッサ本体部内の第２位置に位置させる移動部と、前記濾過具が前記第２位置に位置している場合に、前記濾過具の前記保持部からの取り外しを阻害する阻害部と、を含む。
【図面の簡単な説明】
【０００８】
【図１】第１の実施形態の内視鏡リプロセッサを示す斜視図である。
【図２】第１の実施形態の濾過具保持装置の正面図である。
【図３】第１の実施形態の濾過具保持装置の側面図である。
【図４】第１の実施形態の濾過具の正面図である。
【図５】第１の実施形態の濾過具保持装置に濾過具を装着する手順を説明する図である。
【図６】第１の実施形態の濾過具保持装置に濾過具を装着する手順を説明する図である。
【図７】第１の実施形態の濾過具保持装置に濾過具が装着された状態を示す図である。
【図８】第１の実施形態の濾過具保持装置に濾過具が装着され、濾過具が第１位置に位置している状態を示す図である。
【図９】第１の実施形態の濾過具保持装置に濾過具が装着され、濾過具が第２位置に位置している状態を示す図である。
【図１０】第１の実施形態の濾過具保持装置の変形例を示す図である。
【図１１】第２の実施形態の濾過具保持装置の側面図である。
【図１２】第２の実施形態の濾過具保持装置の側面図である。
【図１３】第３の実施形態の濾過具保持装置の側面図である。
【図１４】第３の実施形態の濾過具保持装置の側面図である。
【図１５】第４の実施形態の濾過具保持装置の側面図である。
【図１６】第４の実施形態の阻害部の断面図である。
【図１７】第４の実施形態の阻害部の断面図である。
【図１８】第５の実施形態の濾過具保持装置の正面図である。
【図１９】第５の実施形態の濾過具保持装置の正面図である。
【図２０】第５の実施形態の濾過具保持装置を下方から見た図である。
【発明を実施するための最良の形態】
【０００９】
以下に、本発明の好ましい形態について図面を参照して説明する。なお、以下の説明に用いる各図においては、各構成要素を図面上で認識可能な程度の大きさとするため、構成要素毎に縮尺を異ならせてあるものもあり、本発明は、これらの図に記載された構成要素の数量、構成要素の形状、構成要素の大きさの比率、及び各構成要素の相対的な位置関係のみに限定されるものではない。【００１０】
（第１の実施形態）  
以下に、本発明の実施形態の一例を説明する。図１に示す内視鏡リプロセッサ１００は、内視鏡、内視鏡付属品および医療機器のうちの少なくとも１種に対して、再生処理を施す装置である。ここでいう再生処理とは特に限定されるものではなく、水によるすすぎ処理、有機物等の汚れを落とす洗浄処理、所定の微生物を無効化する消毒処理、全ての微生物を排除もしくは死滅させる滅菌処理、またはこれらの組み合わせ、のいずれであってもよい。【００１１】
以下の説明において、上方とは比較対象に対してより地面から遠ざかった位置のことを指し、下方とは比較対象に対してより地面に近づいた位置のことを指す。すなわち、下方とは重力方向である。以下の説明における高低とは、重力方向に沿った高さ関係を示すものとする。【００１２】
内視鏡リプロセッサ１００は、処理槽１０２を備える。処理槽１０２は、開口部を有する凹形状であり、内部に内視鏡、内視鏡付属品および医療機器のうちの少なくとも１つを配置することができる。処理槽１０２は、リプロセッサ本体部１０１の上面において、上方に向かって開口している。内視鏡リプロセッサ１００は、処理槽１０２内において、内視鏡、内視鏡付属品および医療機器のうちの少なくとも１つに対して、再生処理を施す。内視鏡リプロセッサ１００は、再生処理に用いる水または薬液等の流体を導入する構成を有する。【００１３】
リプロセッサ本体部１０１の内部には、交換可能な濾過具１２０を配置することができる。詳しくは後述するが、濾過具１２０は、再生処理に用いる液体を濾過する装置である。【００１４】
リプロセッサ本体部１０１は、保持部１０、流体導入管路１１１および流体導出管路１１２を含む。【００１５】
保持部１０は、濾過具１２０を着脱可能である。流体導入管路１１１および流体導出管路１１２は、保持部１０に濾過具１２０が装着された状態において、濾過具１２０に連通する。【００１６】
流体導入管路１１１は、濾過具１２０に流体を導入する管路である。流体導出管路１１２は、濾過具１２０により濾過された液体を、濾過具１２０から導出する管路である。【００１７】
本実施形態では一例として、濾過具１２０は、水を濾過する。本実施形態では一例として、水は、内視鏡リプロセッサ１００の外部に設けられている水道設備から供給される。リプロセッサ本体部１０１には、水道設備と流体導入管路１１１とを接続する水導入コネクタ１０３が設けられている。処理槽１０２内には、水を導出するノズル１０４が設けられている。【００１８】
保持部１０に濾過具１２０が装着された状態において、流体導入管路１１１は、流体導入管路１１１と濾過具１２０とを連通し、流体導出管路１１２は、濾過具１２０とノズル１０４とを連通する。したがって、本実施形態では、水道設備から内視鏡リプロセッサ１００に供給された水は、濾過具１２０によって濾過された後に、処理槽１０２内に導入される。図示しないが、流体導入管路１１１および流体導出管路１１２には、水の流れを制御するバルブが設けられている。本実施形態では流体導出管路１１２はノズル１０４に連通しているが、本発明はこれに限定されず、例えば、流体導出管路１１２は薬液を貯留するタンクに連通していてもよい。【００１９】
濾過具１２０が濾過する液体は、水に限られず、再生処理に用いる消毒液等であってもよい。濾過具１２０が濾過する液体は、内視鏡リプロセッサ１００の外部から供給される形態に限られず、リプロセッサ本体部１０１の内部に設けられたタンク内に貯留されていてもよい。【００２０】
本実施形態では一例として、リプロセッサ本体部１０１の側面には、扉１０５が設けられている。扉１０５を開けると、リプロセッサ本体部１０１の内部空間が、外部に開放される。使用者は、扉１０５を開けた状態で、濾過具１２０の交換作業を行う。【００２１】
内視鏡リプロセッサ１００は、水の他に再生処理に用いる液体や気体等の流体を処理槽１０２内に導入する構成を有するが、これらは公知の構成と同様であるため、詳細な説明を省略する。【００２２】
次に、濾過具１２０をリプロセッサ本体部１０１内に配置する濾過具保持装置１の構成について説明する。【００２３】
図２は、濾過具保持装置１の正面図である。図３は、濾過具保持装置１の側面図である。図２は、扉１０５を開放してリプロセッサ本体部１０１の外部から濾過具保持装置１を見た図である。図３は、図２中の矢印Ｂで示す方向から濾過具保持装置１を見た図である。図４は、濾過具１２０の正面図である。【００２４】
図２および図３において、図中の下方向（矢印Ｇで示す方向）が、下方（重力方向）である。図２において、紙面に直行する軸に沿って紙面の表から裏に向かう方向（矢印Ｈで示す方向）を奥方向と称し、奥方向の反対の方向（矢印Ｉで示す方向）を手前方向と称する。扉１０５を開けた状態でリプロセッサ本体部１０１の内部を外から覗いた場合に、奥方向は、リプロセッサ本体部１０１の外から内に向かう方向と概ね一致する。【００２５】
濾過具保持装置１は、基台部２、保持部１０、移動部２０および阻害部３０を含む。【００２６】
基台部２は、リプロセッサ本体部１０１に固定されている。図示する本実施形態では一例として、基台部２は独立した部材であるが、基台部２は、リプロセッサ本体部１０１のフレーム等を構成する部材の一部であってもよい。【００２７】
保持部１０は、濾過具１２０を着脱可能である。保持部１０は、第１ソケット１１および第２ソケット１２を備える。第１ソケット１１には、流体導入管路１１１が連通している。第２ソケット１２には、流体導出管路１１２が連通している。第１ソケット１１および第２ソケット１２は、後述する濾過具１２０の１次側プラグ１２２および２次側プラグ１２３を挿抜可能である。保持部１０としてソケットを例示しているが本発明はこれに限定されず、例えば、保持部１０としてピンチまたは開口径がプラグよりも狭いゴム管などを用いてもよい。【００２８】
濾過具１２０の構成を説明する。図４に示すように、濾過具１２０は、ハウジング１２１と、１次側プラグ１２２および２次側プラグ１２３を備える。ハウジング１２１は中空の容器である。ハウジング１２１の外径は、略円柱状である。ハウジング１２１内には、液体を濾過するフィルタ１２４が配設されている。【００２９】
１次側プラグ１２２は、ハウジング１２１内の１次側空間に連通している。２次側プラグ１２３は、ハウジング１２１内の２次側空間に連通している。ハウジング１２１内において、１次側空間と２次側空間とは、フィルタ１２４によって隔てられている。フィルタ１２４の１次側の空間とは、フィルタ１２４を通過する前の液体が流れる空間であり、フィルタの２次側の空間とは、フィルタ１２４を通過した後の液体が流れる空間である。【００３０】
第１ソケット１１および１次側プラグ１２２の組み合わせと、第２ソケット１２と２次側プラグ１２３の組み合わせと、は、液体を流す配管用の継手を構成する。第１ソケット１１に１次側プラグ１２２が挿入された状態では、流体導入管路１１１と濾過具１２０の１次側空間とが連通する。第２ソケット１２に２次側プラグ１２３が挿入された状態では、流体導出管路１１２と濾過具１２０の２次側空間とが連通する。【００３１】
本実施形態では、保持部１０に濾過具１２０が装着された状態とは、第１ソケット１１および第２ソケット１２に、１次側プラグ１２２および２次側プラグ１２３が挿入された状態のことである。【００３２】
なお、本実施形態では、保持部１０と濾過具１２０とを接続するための構成として、保持部１０にメス型のコネクタであるソケットが設けられ、濾過具１２０にオス型のコネクタであるプラグが設けられているが、両者の性別は逆であってもよい。【００３３】
保持部１０の第１ソケット１１および第２ソケット１２は、同一方向に向かって開口している。本実施形態では、第１ソケット１１および第２ソケット１２の開口方向は、保持部１０に固定された所定の軸Ｅに平行である。また、第１ソケット１１および第２ソケット１２の開口方向は、概ね下方に向いている。なお、軸Ｅの角度、すなわち第１ソケット１１および第２ソケット１２の開口方向は、本実施形態に限られない。例えば軸Ｅは水平であってもよい。【００３４】
１次側プラグ１２２および２次側プラグ１２３は、ハウジング１２１の上面１２１ａから、同一方向に向かって突出している。本実施形態では、１次側プラグ１２２および２次側プラグ１２３は円筒形状である。１次側プラグ１２２および２次側プラグ１２３は、ハウジング１２１に固定された所定の軸Ｆに平行に延在している。本実施形態では、軸Ｆは、円柱状であるハウジング１２１の中心軸である。【００３５】
保持部１０から濾過具１２０が取り外された状態から、保持部１０に濾過具１２０を装着する場合には、使用者は、まず図５および図６に示すように第１ソケット１１および第２ソケット１２に１次側プラグ１２２および２次側プラグ１２３を対向させ、さらに濾過具１２０の軸Ｆを保持部１０の軸Ｅに略平行に保持する。本実施形態では、第１ソケット１１および第２ソケット１２が概ね下方に向かって開口しているため、この状態においては、濾過具１２０は、ハウジング１２１の上面１２１ａが上方に面する姿勢となる。【００３６】
その後、使用者が、濾過具１２０に、軸Ｅに沿って保持部１０に向かう方向の力を加えると、図７および図８に示すように、第１ソケット１１および第２ソケット１２の内側に１次側プラグ１２２および２次側プラグ１２３が挿入される。【００３７】
本実施形態の保持部１０には、保持部１０から濾過具１２０が取り外された状態で、保持部１０に対する濾過具１２０の位置を案内する案内部１３が設けられている。案内部１３は、軸Ｅに沿って延在する凹部１３ａを備える。濾過具１２０のハウジング１２１が凹部１３ａ内に嵌まり込むと、濾過具１２０の軸Ｆと保持部１０の軸Ｅが略平行となる。濾過具１２０は、ハウジング１２１が凹部１３ａ内に嵌まり込んだ状態で、保持部１０に対して軸Ｅに沿って移動可能である。【００３８】
保持部１０に濾過具１２０が装着された状態で、濾過具１２０に対して軸Ｅに沿って保持部１０から離れる方向（第１ソケット１１および第２ソケット１２の開口方向）の力を加えると、保持部１０から濾過具１２０が取り外される。【００３９】
本実施形態の濾過具保持装置１は、一例として、レバー３を備える。レバー３は、濾過具１２０の保持部１０への脱着時に、使用者が手指により操作する部材である。使用者がレバー３を操作する力は、レバー３によって濾過具１２０を軸Ｅに沿って移動させる力に変換される。【００４０】
具体的には、図３に示すように、レバー３は、基台部２に設けられた支点３ａ周りに揺動可能である。支点３ａは、保持部１０よりも下方かつ奥方向に設けられている。レバー３は、支点３ａから手前方向に向かって延在している。レバー３の先端部３ｂは、レバー３の支点３ａ周りの揺動に伴い、上下方向に移動する。【００４１】
レバー３の先端部３ｂには、使用者が把持する把持部３ｃが設けられている。レバー３の先端部３ｂと支点３ａとの間には、係合部３ｄが設けられている。図６に示すように、係合部３ｄは、濾過具１２０のハウジング１２１に固定されているフック１２１ｃと係合する。【００４２】
フック１２１ｃは、ハウジング１２１の下面１２１ｂに設けられている。フック１２１ｃと係合部３ｄとが係合した状態において、レバー３が支点３ａ周りに揺動した場合、濾過具１２０が、案内部１３の凹部１３ｂに沿って軸Ｅと略平行に進退移動する。【００４３】
すなわち、本実施形態では、図５および図６に示す状態において、使用者がレバー３の把持部３ｃを持ち上げると、図７および図８に示すように、濾過具１２０が保持部１０に装着される。【００４４】
なお、濾過具保持装置１は、レバー３を備えていなくてもよい。この場合、使用者が濾過具１２０のハウジング１２１を手で把持するか、または冶具で把持して、軸Ｅに沿って濾過具１２０の保持部１０への脱着を行う。【００４５】
図示しないが、内視鏡リプロセッサ１００および濾過具１２０は、ハウジング１２１内に存在する液体をハウジング１２１外に排出する構成を有する。図示しないが、内視鏡リプロセッサ１００および濾過具１２０は、液体導入管路１１１内に存在する液体を液体導入管路１１１外に排出する構成を有する。濾過具１２０を交換する場合には、濾過具１２０を保持部１０から取り外す前に、使用者が濾過具１２０内および液体導入管路１１１内に存在する液体を排出する排出操作を行う必要がある。排出操作は、例えば水抜きと称される。【００４６】
移動部２０は、濾過具１２０の重量に応じて、濾過具１２０をリプロセッサ本体部１０１内において移動させる。詳細には、移動部２０は、保持部１０に濾過具１２０が装着されている状態において、濾過具１２０の重量に応じて、濾過具１２０を基台部２に対して相対的に移動させる。【００４７】
ここで、濾過具１２０の重量とは、ハウジング１２１内に存在する液体の重量を含む。したがって、本実施形態の場合、濾過具１２０の重量は、ハウジング１２１内に貯留される水の量に応じて変化する。【００４８】
移動部２０は、濾過具１２０の重量が所定値未満である場合に、濾過具１２０を基台部２に対する第１位置に位置させる。また、移動部２０は、濾過具１２０の重量が前記所定値以上である場合に、濾過具１２０を基台部２に対する第２位置に位置させる。【００４９】
ここで、前記所定値は、濾過具１２０が使用された後であり、かつ排出操作が行われる前の濾過具１２０の重量よりも小さい。濾過具１２０が使用された後とは、液体が流体導入管路１１１から濾過具１２０を経由して流体導出管路１１２に流された後のことである。すなわち、濾過具１２０が使用された後であり、かつ排出操作が行われる前の濾過具１２０内には、ハウジング１２１内を満たすほどの液体が存在している。【００５０】
前記所定値は、濾過具１２０が使用された後であり、かつ排出操作が行われた後の濾過具１２０の重量よりも大きい。前記所定値は、未使用である状態の濾過具１２０の重量と、ハウジング１２１内の容積とに基づき算出することができる。【００５１】
すなわち、移動部２０は、使用後であって排出操作が行われた濾過具１２０または未使用の濾過具１２０が保持部１０に装着されている場合には、濾過具１２０を第１位置に位置させる。また、移動部２０は、使用後であって排出操作が行われていない濾過具１２０が保持部１０に装着されている場合には、濾過具１２０を第２位置に位置させる。【００５２】
排出操作が行われた後の濾過具１２０内には、若干量の液体が存在している場合があるが、使用後における排出操作の実行前後での濾過具１２０の重量の変化量は比較的大きい。本実施形態では、第２位置は、第１位置よりも下方である。そして移動部２０は、濾過具１２０の重量の変化を利用して、濾過具１２０を基台部２に対して移動させる。【００５３】
移動部２０が、濾過具１２０の重量の変化を利用して濾過具１２０を基台部２に対して移動させる構成は特に限定されない。本実施形態では一例として、移動部２０は、保持部１０と当該保持部１０に装着された状態の濾過具１２０とを、基台部２に対して回動軸Ａ周りに揺動させる揺動部２１を含む。【００５４】
図２および図３に示すように、揺動部２１は、基台部２に設けられた軸受２ａにより、回動軸Ａ周りに揺動可能に支持されている。回動軸Ａは、略水平である。揺動部２１には、保持部１０が固定されている。また本実施形態では、案内部１３も揺動部２１に固定されている。【００５５】
揺動部２１の揺動に伴い、保持部１０に装着された濾過具１２０は第１位置および第２位置の間で移動する。図８は、濾過具１２０が第１位置に位置している状態を示し、図９は、濾過具１２０内に液体２００が存在し、濾過具１２０が第２位置に位置している状態を示している。【００５６】
移動部２０は、濾過具１２０を第２位置から第１位置に向かう方向に移動させる付勢力を発生する付勢部２３を含む。付勢部２３が発生する付勢力は、重力に反して濾過具１２０を上方に持ち上げる方向の力である。【００５７】
付勢部２３が発生する付勢力は、濾過具１２０の重量が前記所定値未満である場合に、濾過具１２０を第１位置に保持する強さである。そして、付勢部２３が発生する付勢力は、重量が前記所定値以上である濾過具１２０に働く重力よりも弱い。したがって、濾過具１２０の重量が前記所定値以上である場合には、濾過具１２０は、付勢部２３の付勢力に打ち勝って第１位置よりも下方の第２位置に位置する。【００５８】
本実施形態では一例として、付勢部２３は弾性変形する部材により構成されている。より具体的には、本実施形態の付勢部２３は、揺動部２１に回動軸Ａ周りの付勢力を加えるねじりコイルバネである。なお、付勢部２３は、例えばコイルバネ、板バネ、ねじり棒バネ等の他の形態のバネであってもよいし、ゴムや合成樹脂等であってもよい。【００５９】
阻害部３０は、保持部１０に濾過具１２０が装着された状態であり、濾過具１２０が第２位置に位置している場合に、濾過具１２０の保持部１０からの取り外しを阻害する。また、阻害部３０は、保持部１０に濾過具１２０が装着された状態であり、濾過具１２０が第２位置に位置している場合には、濾過具１２０の保持部１０からの取り外しを許容する。【００６０】
阻害部３０の、濾過具１２０の保持部１０からの取り外しを阻害する構成は特に限定されない。図９に示すように、本実施形態では一例として、阻害部３０は、基台部２に固定されており、第２位置に位置する濾過具１２０を保持部１０から取り外す際に濾過具１２０が通る取り外しルート上に配置されている。【００６１】
すなわち、阻害部３０は、保持部１０に濾過具１２０が装着された状態であり、濾過具１２０が第２位置に位置している場合に、濾過具１２０に干渉し、濾過具１２０の軸Ｅに沿って保持部１０から離れる方向への移動を妨げる。【００６２】
より具体的には、本実施形態の阻害部３０は、基台部２から取り外しルート上に突出する凸部３１である。凸部３１は、第２位置に位置する濾過具１２０の下方に配置されている。濾過具１２０が第２位置に位置している場合には、濾過具１２０は、保持部１０と凸部３１との間に配置される。【００６３】
したがって、濾過具１２０が第２位置に位置している場合には、使用者が濾過具１２０に保持部１０から取り外す方向の力を加えたとしても、濾過具１２０の移動が阻害部３０によって阻害されるため、濾過具１２０の保持部１０からの取り外しが防止される。【００６４】
一方、濾過具１２０が第１位置に位置している場合には、図８に示すように、阻害部３０は、取り外しルート上から退避している。したがって、濾過具１２０が第１位置に位置している場合には、使用者が濾過具１２０に保持部１０から取り外す方向の力を加えれば、濾過具１２０が保持部１０から取り外される。【００６５】
以上に説明したように、濾過具保持装置１は、濾過具１２０内の液体を排出する排出操作の実行の前後における濾過具１２０の重量の変化に応じて濾過具１２０を移動させる移動部２０を有する。そして、排出操作の実行前であり濾過具１２０の重量が所定値以上である場合には、濾過具１２０は、阻害部３０によって保持部１０からの取り外しが阻害される位置に位置する。【００６６】
内視鏡リプロセッサ１がレバー３を有する場合、レバー３と移動部２０とは連動していない。レバー３を下げても濾過具１２０は第２位置に位置した状態で軸Ｅに沿って下がるので、濾過具１２０は濾過具１２０によって取り外しが阻害される。【００６７】
ここで、移動部２０は、濾過具１２０の重量が所定値以上になれば濾過具１２０を下方に移動させる構成であるから、構造が単純であり安価に製造可能である。また、阻害部３０も、濾過具１２０の移動に干渉する部材であるから、構造が単純であり安価に製造可能である。【００６８】
したがって、本実施形態の内視鏡リプロセッサ１００は、濾過具１２０内に所定量以上の液体が存在している場合において濾過具１２０の取り外しを簡便な機構により防止することにより、濾過具１２０の取り外し時における液体の漏れ出しを防止することができ、かつ安価に製造可能である。【００６９】
図１０に、本実施形態の変形例を示す。本実施形態では、付勢部２３は弾性変形する部材により付勢力を発生させているが、付勢部２３は弾性変形する部材を用いる構成に限定されない。図１０に示す変形例の濾過具保持装置１の付勢部２３は、重り２３ａを備える。重り２３ａの重量により、付勢部２３は、保持部１０に装着された状態の濾過具１２０を第２位置から第１位置に向かう方向に移動させる付勢力を発生する
（第２の実施形態）  
以下に、本発明の第２の実施形態を説明する。以下では第１の実施形態との相違点のみを説明するものとし、第１の実施形態と同様の構成要素については同一の符号を付し、その説明を適宜に省略する。【００７０】
第１の実施形態では、阻害部３０は、濾過具１２０に直接干渉することにより、濾過具１２０の取り外しを阻害する構成を有しているが、阻害部３０の構成は第１の実施形態に限られない。【００７１】
図１１および図１２に、本実施形態の濾過具保持装置１の構成を示す。図１１は、濾過具１２０が第１位置に位置している状態を示しており、図１２は、濾過具１２０が第２位置に位置している状態を示している。【００７２】
本実施形態の濾過具保持装置１は、第１の実施形態に比して阻害部３０の構成が異なる。本実施形態の阻害部３０は、濾過具１２０が第２位置に位置している場合において、レバー３の移動を規制することにより、濾過具１２０の保持部１０からの取り外しを阻害する。【００７３】
本実施形態の阻害部３０は、基台部２に対して支点３２ａ周りに揺動する腕部３２を含む。腕部３２は、図１１に示すように、濾過具１２０が第１位置に位置している場合には、濾過具１２０およびレバー３の下方に大きく離隔している。【００７４】
腕部３２は、濾過具１２０の第１位置から第２位置に向かう移動に応じて起立する。そして、腕部３２は、図１２に示すように、濾過具１２０が第２位置に位置している場合に、レバー３に干渉し、レバー３の移動を規制する。レバー３は、前述のように、濾過具１２０を保持部１０から取り外す際に、使用者が操作する部材である。したがって、阻害部３０は、濾過具１２０が第２位置に位置している場合に、濾過具１２０の保持部１０からの取り外しを阻害する。【００７５】
本実施形態の内視鏡リプロセッサ１００は、第１の実施形態と同様に、濾過具１２０内に所定量以上の液体が存在している場合において濾過具１２０の取り外しを防止することにより、濾過具１２０の取り外し時における液体の漏れ出しを防止することができる。【００７６】
本実施形態では、濾過具１２０の移動に応じて移動する腕部３２の重量により、濾過具１２０を第２位置から第１位置に向かう方向に移動させる付勢力を発生する。すなわち、本実施形態では、阻害部３０が付勢部２３を兼ねている。【００７７】
なお、本実施形態では、阻害部３０は、濾過具１２０が第２位置に位置している場合に、レバー３の移動を規制する構成を有しているが、阻害部３０は、濾過具１２０が第２位置に位置している場合に、レバー３の把持部３ｃを覆い隠し、使用者のレバー３への接触を阻害する構成であってもよい。【００７８】
（第３の実施形態）  
以下に、本発明の第３の実施形態を説明する。以下では第１の実施形態との相違点のみを説明するものとし、第１の実施形態と同様の構成要素については同一の符号を付し、その説明を適宜に省略する。【００７９】
第１の実施形態では、移動部２０は、保持部１０および濾過具１２０を、濾過具１２０の重量に応じて基台部２に対して回動軸Ａ周りに揺動させる構成を有していたが、移動部２０の構成は第１の実施形態に限られない。【００８０】
図１３および図１４に、本実施形態の濾過具保持装置１の構成を示す。図１３は、濾過具１２０が第１位置に位置している状態を示しており、図１４は、濾過具１２０が第２位置に位置している状態を示している。【００８１】
本実施形態の移動部２０は、保持部１０および濾過具１２０を、基台部２に対して所定の直線軸Ｋに沿って進退移動させる。第１の実施形態と同様に、第２位置は、第１位置よりも下方である。したがって、濾過具１２０の重量が所定値未満であれば、図１３に示すように、濾過具１２０は第１位置に位置する。また、濾過具１２０の重量が前記所定値以上であれば、図１４に示すように、濾過具１２０は第２位置に位置する。【００８２】
本実施形態の阻害部３０は、保持部１０および濾過具１２０の移動に応じて動作するロック機構３５を備える。図示する本実施形態のロック機構３５は、濾過具１２０が第２位置に位置している場合に、濾過具１２０に形成された嵌合部１２５と嵌合する。【００８３】
本実施形態では一例として、嵌合部１２５は、濾過具１２０の外表面に形成された凹部である。ロック機構３５は、嵌合部１２５に嵌合する凸部を備える。ロック機構３５は、濾過具１２０が第２位置に位置している場合には、嵌合部１２５内から退出する。ロック機構３５が嵌合部１２５と嵌合した状態では、ロック機構３５が、濾過具１２０の保持部１０から離れる方向への移動を妨げる。なお、ロック機構３５が凹形状であり、濾過具１２０に形成された嵌合部１２５が凸形状であってもよい。【００８４】
保持部１０の移動に応じてロック機構３５を移動させる動力伝達機構３６は、本実施形態では一例として、保持部１０固定された第１ラックギヤ３６ａと、ラックギヤ３６ａに噛合するピニオンギヤ３６ｂと、ピニオンギヤ３６ｂに噛合する第２ラックギヤ３６ｃと、を備えている。ピニオンギヤ３６ｂは、基台部２に対して所定の軸周りに回転可能に支持されている。第１ラックギヤ３６ａおよび第２ラックギヤ３６ｃは、基台部２に対して、直線軸Ｋと平行に進退移動可能である。動力伝達機構３６は、第２ラックギヤ３６ｃの進退移動をロック機構３５に伝達するリンク機構を備える。【００８５】
以上に説明した構成の移動部２０および阻害部３０を備える本実施形態の内視鏡リプロセッサ１００は、第１の実施形態と同様に、濾過具１２０内に所定量以上の液体が存在している場合において濾過具１２０の取り外しを防止することにより、濾過具１２０の取り外し時における液体の漏れ出しを防止することができる。【００８６】
（第４の実施形態）  
以下に、本発明の第４の実施形態を説明する。以下では第１の実施形態との相違点のみを説明するものとし、第１の実施形態と同様の構成要素については同一の符号を付し、その説明を適宜に省略する。【００８７】
第１の実施形態では、移動部２０は、保持部１０および濾過具１２０を、濾過具１２０の重量に応じて基台部２に対して回動軸Ａ周りに揺動させる構成を有していたが、移動部２０の構成は第１の実施形態に限られない。【００８８】
図１５に、本実施形態の濾過具保持装置１の構成を示す。本実施形態では、保持部１０は、基台部２に固定されている。濾過具１２０は、保持部１０に装着された状態において、保持部１０との結合部を支点として、重量に応じて揺動する。【００８９】
図１６および図１７は、保持部１０と濾過具１２０との結合部を拡大して示す図である。図１６は、濾過具１２０が第１位置に位置している状態を示し、図１７は、濾過具１２０が第２位置に位置している場合を示している。【００９０】
保持部１０と濾過具１２０との結合部、すなわち第１ソケット１１および第２ソケット１２と、１次側プラグ１２２および２次側プラグ１２３との間には、若干の隙間がある。当該隙間は、図示しないパッキンにより封止されている。また、第１ソケット１１および第２ソケット１２と、１次側プラグ１２２および２次側プラグ１２３と、は、濾過具１２０の重量の変化に応じて若干弾性変形する。本実施形態では、この保持部１０と濾過具１２０との結合部の隙間と、弾性変形の分だけ、濾過具１２０が重量の変化に応じて保持部１０に対して上下方向に移動する。【００９１】
図１６および図１７に示すように、本実施形態の阻害部３０は、第１ソケット１１および第２ソケット１２の内周面に形成された凹部３８である。１次側プラグ１２２および２次側プラグ１２３には、側面から突出する嵌合部３７が設けられている。【００９２】
図１７に示すように、濾過具１２０が第２位置に位置している場合に、嵌合部３７は、凹部３８と嵌合する。嵌合部３７が凹部３８に嵌合した状態では、１次側プラグ１２２および２次側プラグ１２３の、第１ソケット１１および第２ソケット１２から抜ける方向への移動が規制される。また、図１６に示すように、濾過具１２０が第２位置に位置している場合には、嵌合部３７は、凹部３８内から退出する。【００９３】
なお、本実施形態において、第１ソケット１１および第２ソケット１２の内周面に形成される阻害部３０が凸形状であり、１次側プラグ１２２および２次側プラグ１２３に形成される嵌合部３７が凹形状であってもよい。【００９４】
以上に説明した構成の阻害部３０を備える本実施形態の内視鏡リプロセッサ１００は、第１の実施形態と同様に、濾過具１２０内に所定量以上の液体が存在している場合において濾過具１２０の取り外しを防止することにより、濾過具１２０の取り外し時における液体の漏れ出しを防止することができる。【００９５】
（第５の実施形態）  
以下に、本発明の第５の実施形態を説明する。以下では第１の実施形態との相違点のみを説明するものとし、第１の実施形態と同様の構成要素については同一の符号を付し、その説明を適宜に省略する。【００９６】
図１８および図１９は、本実施形態の濾過具保持装置１の断面図である。図１８は、濾過具１２０が第１位置に位置している状態を示し、図１９は、濾過具１２０が第２位置に位置している状態を示している。図２０は、濾過具保持装置１を下方から見た図である。【００９７】
本実施形態の濾過具１２０は、保持部１０に対して着脱可能なハウジング１２６およびフィルタ１２７を含む。ハウジング１２６は、有底の円筒状の部材である。ハウジング１２６の開口部の外周には、雄ネジ１２６ａが形成されている。雄ネジ１２６ａは、保持部１０の下面に設けられた雌ネジ１６と螺合する。本実施形態では、雌ネジ１６の中心軸は、略鉛直である。【００９８】
保持部１０は、ハウジング１２６が装着された状態において、ハウジング１２６の開口部を封止する蓋として機能する。フィルタ１２７は、保持部１０に装着された状態において、ハウジング１２６および保持部１０に囲まれた空間内に配置される。【００９９】
保持部１０には、流体導入管路１１１および流体導出管路１１２が接続されている。流体導入管路１１１は、ハウジング１２６および保持部１０に囲まれた空間中の、フィルタ１２７の１次側空間に連通している。流体導出管路１１２は、ハウジング１２６および保持部１０に囲まれた空間中の、フィルタ１２７の２次側空間に連通している。【０１００】
本実施形態では、フィルタ１２７を交換する場合には、使用者は、ハウジング１２６内の液体を排出する排出操作を行った後に、ハウジング１２６を保持部１０から取り外し、フィルタ１２７を外部に露出させる。その後、使用者は、フィルタ１２７を保持部１０から取り外す。ハウジング１２６を保持部１０から取り外すには、図示しない工具を用いて、ハウジング１２６に保持部１０に対して鉛直な軸周りに回転させるトルクを掛ける必要がある。【０１０１】
図２０は、濾過具保持装置１を下方から見た図である。ハウジング１２６の外周面には、ハウジング１２６を保持部１０に対して回転させる作業を行う際に、工具を係合させる突起１２６ｂが設けられている。【０１０２】
保持部１０は、図１８および図１９に示すように、過具１２０の重量の変化に応じて、上下方向に移動する。すなわち、保持部１０は移動部２０を兼ねる。保持部１０は、濾過具１２０の重量が所定値未満である場合には、図１８に示すように、濾過具１２０とともに第１位置に位置する。また、保持部１０は、濾過具１２０の重量が所定値以上である場合には、図１９に示すように、第１位置よりも下方の第２位置に位置する。【０１０３】
保持部１０は、図２０に示すように円板状である。保持部１０の外周面には、径方向外側に向かって突出する複数の凸部１７が設けられている。凸部１７は、図１８に示すように、濾過具１２０および保持部１０が第１位置に位置している場合には、基台部２に設けられている凹部３９と係合する。凸部１７は、図１９に示すように、濾過具１２０および保持部１０が第２位置に位置している場合には、基台部２に設けられている凹部３９内から退出する。【０１０４】
凸部１７が凹部３９と係合している状態では、保持部１０は、基台部２に対する鉛直な軸周りの回動が規制される。また、凸部１７が凹部３９内から退出している状態では、保持部１０は、基台部２に対して鉛直な軸周りに回動可能である。【０１０５】
保持部１０の基台部２に対する鉛直な軸周りの回動が規制されている場合には、ハウジング１２６に鉛直な軸周りのトルクを掛けると、ハウジング１２６を保持部１０に対して回転させることができる。この場合には、ハウジング１２６を保持部１０から取り外すことができる。【０１０６】
一方、保持部１０が基台部２に対して鉛直な軸周りに回動可能である場合には、ハウジング１２６に鉛直な軸周りのトルクを掛けると、保持部１０がハウジング１２６とともに鉛直な軸周りに回転する。この場合には、ハウジング１２６を保持部１０から取り外すことができない。すなわち、本実施形態の阻害部３０は、保持部１０に設けられた凸部１７と基台部２に設けられた凹部３９との係合を解除することにより、濾過具１２０の保持部１０からの取り外しを阻害する。【０１０７】
以上に説明した構成の阻害部３０を備える本実施形態の内視鏡リプロセッサ１００は、第１の実施形態と同様に、濾過具１２０内に所定量以上の液体が存在している場合において濾過具１２０の取り外しを防止することにより、濾過具１２０の取り外し時における液体の漏れ出しを防止することができる。【０１０８】
本発明は、上述した実施形態に限られるものではなく、請求の範囲及び明細書全体から読み取れる発明の要旨或いは思想に反しない範囲で適宜変更可能であり、そのような変更を伴う内視鏡リプロセッサもまた本発明の技術的範囲に含まれるものである。
【図１】
2020234933.tif 000003
【図２】
2020234933.tif 000004
【図３】
2020234933.tif 000005
【図４】
2020234933.tif 000006
【図５】
2020234933.tif 000007
【図６】
2020234933.tif 000008
【図７】
2020234933.tif 000009
【図８】
2020234933.tif 000010
【図９】
2020234933.tif 000011
【図１０】
2020234933.tif 000012
【図１１】
2020234933.tif 000013
【図１２】
2020234933.tif 000014
【図１３】
2020234933.tif 000015
【図１４】
2020234933.tif 000016
【図１５】
2020234933.tif 000017
【図１６】
2020234933.tif 000018
【図１７】
2020234933.tif 000019
【図１８】
2020234933.tif 000020
【図１９】
2020234933.tif 000021
【図２０】
2020234933.tif 000022
【手続補正書】
【提出日】令和3年5月26日(2021.5.26)
【手続補正１】
【補正対象書類名】明細書
【補正対象項目名】０００７
【補正方法】変更
【補正の内容】
【０００７】
本発明の一態様による内視鏡リプロセッサは、濾過具を着脱可能な保持部と、前記保持部に前記濾過具が装着された状態において前記濾過具に連通する流体導入管路および流体導出管路と、前記保持部に前記濾過具が装着されており、かつ前記濾過具の重量が所定値未満である場合に、前記濾過具を第１位置に位置させ、前記保持部に前記濾過具が装着されており、かつ前記濾過具の重量が前記所定値以上である場合に、前記濾過具を前記第１位置とは異なる第２位置に位置させる移動部と、前記濾過具が前記第２位置に位置している場合に、前記濾過具の前記保持部からの取り外しを阻害する阻害部と、を含む。
本発明の一態様による他の内視鏡リプロセッサは、濾過具を着脱可能な保持部と、前記保持部に前記濾過具が装着された状態において前記濾過具に連通する流体導入管路および流体導出管路と、前記保持部に前記濾過具が装着されており、かつ前記濾過具内に所定量未満の液体が存在する場合に、前記濾過具を第１位置に位置させ、前記保持部に前記濾過具が装着されており、かつ前記濾過具内に所定量以上の液体が存在する場合に、前記濾過具を前記第１位置とは異なる第２位置に位置させる移動部と、前記濾過具が前記第２位置に位置している場合に、前記濾過具の前記保持部からの取り外しを阻害する阻害部と、を含む。
【手続補正２】
【補正対象書類名】特許請求の範囲
【補正対象項目名】全文
【補正方法】変更
【補正の内容】
【特許請求の範囲】
【請求項１】
濾過具を着脱可能な保持部と、前記保持部に前記濾過具が装着された状態において前記濾過具に連通する流体導入管路および流体導出管路と、
前記保持部に前記濾過具が装着されており、かつ前記濾過具の重量が所定値未満である場合に、前記濾過具を第１位置に位置させ、前記保持部に前記濾過具が装着されており、かつ前記濾過具の重量が前記所定値以上である場合に、前記濾過具を前記第１位置とは異なる第２位置に位置させる移動部と、
前記濾過具が前記第２位置に位置している場合に、前記濾過具の前記保持部からの取り外しを阻害する阻害部と、
を含むことを特徴とする内視鏡リプロセッサ。
【請求項２】
前記移動部は、前記保持部に前記濾過具が装着された状態において、前記保持部および前記濾過具を回動軸周りに揺動させる揺動部を含むことを特徴とする請求項１に記載の内視鏡リプロセッサ。
【請求項３】
前記阻害部は、前記濾過具が前記第２位置に位置している場合において、前記保持部から前記濾過具を取り外す際に前記濾過具が通る取り外しルート上に固定されていることを特徴とする請求項１に記載の内視鏡リプロセッサ。
【請求項４】
濾過具を含み、前記濾過具は、前記保持部に装着され、かつ前記第２位置にある場合に、前記阻害部と嵌合する嵌合部を有することを特徴とする請求項１に記載の内視鏡リプロセッサ。
【請求項５】
濾過具を着脱可能な保持部と、前記保持部に前記濾過具が装着された状態において前記濾過具に連通する流体導入管路および流体導出管路と、
前記保持部に前記濾過具が装着されており、かつ前記濾過具内に所定量未満の液体が存在する場合に、前記濾過具を第１位置に位置させ、前記保持部に前記濾過具が装着されており、かつ前記濾過具内に所定量以上の液体が存在する場合に、前記濾過具を前記第１位置とは異なる第２位置に位置させる移動部と、
前記濾過具が前記第２位置に位置している場合に、前記濾過具の前記保持部からの取り外しを阻害する阻害部と、
を含むことを特徴とする内視鏡リプロセッサ。
【国際調査報告】
2020234933.tif 000023
2020234933.tif 000024
2020234933.tif 000025
2020234933.tif 000026